(57)【要約】  本発明は、木材バンクと少なくとも２つ締結具を備える木材バンク組立体に関する。締結具は、締付片（３）、嵌合片（４）、天板（５）、横のガード（８）及び底板（９）を備えている。本発明は、追加的に、木材バンクの締結具に関する。【選択図】図３ａ
2019520268.tif 000002
【特許請求の範囲】
【請求項１】
木材バンク及び少なくとも２つの締結具を備える木材バンク組立体であって、
前記締結具は、締付片（３）、嵌合片（４）、天板（５）、横のガード（８）、及び底板（９）を備えている、
ことを特徴とする木材バンク組立体。
【請求項２】
前記締結具は、スライドプラスチック（６）及びライジングプレート（７）を備えている、
請求項１に記載の木材バンク組立体。
【請求項３】
前記底板（９）は、ゴムパッド（１０）及びスライドストリップ（１１）を備えている、
請求項１又は２に記載の木材バンク組立体。
【請求項４】
前記底板（９）は、スチール片（１２,１３）を備えている、
請求項１又は２に記載の木材バンク組立体。
【請求項５】
木材バンクの締結具であって、
締付片（３）、嵌合片（４）、天板（５）、横のガード（８）、及び底板（９）を備えている、
ことを特徴とする木材バンクの締結具。
【発明の詳細な説明】
【技術分野】
【０００１】
本発明は、木材バンク及び少なくとも２つの締結具を備える木材バンク組立体に関する。本発明は、追加的に、木材バンクの締結具に関する。
【発明の概要】
【課題を解決するための手段】
【０００２】
本発明に係る木材バンク組立体により、締結具を調節することができる。締結具の基本部品と、基本部品に接続される追加部品とを使用することによって異なる種類の締結が可能となる。
【０００３】
木材バンクは、水平のビームと、水平のビームの両側に設置される２つの実質的に垂直なポストとを備えている。水平のビーム及びポストは、通常、スチールである。水平のビームの両端には、水平のビームに固定的に接続され、例えば、溶接することによって水平のビームに固定されたポケットがある。ポストは、ボルトで締めることによってポケットに固定されており、換言すれば、ポストの締結は取り外し可能である。ポケット及びポストは、ボルトを締めている時、ポストを接続面が水平のビームに対して正しい角度に案内するように設計されている。
【０００４】
木材バンクは、通常、２つの締結具によってベースに固定されている。バンク組立体は、締結具の基本部品及び個々のケース毎に適切な追加部品を使用することによって、トラック又はトレーラーのシャーシに固定的に又は移動可能に取り付けることができる。締結具の基本部品は、締付片、嵌合片、天板、横のガード、及び底板を備えている。基本部品は、個々の部品でもよいし、場合によっては、部品のいくつかが一つの部品に接合されていてもよい。
【０００５】
トレーラー締結具は、追加部品としてスライドプラスチック及びライジング（かさ上げ）プレートを備えており、底板は、ゴムパッド及びスライドストリップを備えている。
【０００６】
トラックのための可動締結具は、基本部品のみを備えており、これは締付片、嵌合片、天板、横のガード、及び底板である。底板は、ゴムパッド及びスライドストリップを備えている。
【０００７】
トラックのための固定締結具は、基本部品のみを備えており、これは締付片、嵌合片、天板、横のガード、及び底板である。底板は、ゴムパッド及びスライドストリップの代わりに、２つのスチール片を備えている。
【０００８】
木材バンクの水平のビームは、歯部を備える底フランジを有する。水平のビームは、標準的な位置に測定スケールを備え、これは別途測定せずにフレーム幅を調節するのに役立っている。締結具の底板は、標準化されたプッシュロッドのセットを取り付けるための穴パターンを備えている。
【０００９】
締結具の歯部及び嵌合部によって、締結具の位置を、異なるフレーム幅に対して調節することができる。したがって、締結具のフレーム幅を、溶接又は機械加工しないで調節することができる。
【図面の簡単な説明】
【００１０】
【図１ａ】木材バンクの正面図である。
【図１ｂ】木材バンクの側面図である。
【図１ｃ】木材バンクの平面図である。
【図２】木材バンクの斜視図である。
【図３ａ】木材バンクのトレーラー締結具の分解図である。
【図３ｂ】木材バンクのトレーラー締結具の側面図である。
【図３ｃ】木材バンクのトレーラー締結具の平面図である。
【図４ａ】トラックのための木材バンクの可動締結具の分解図である。
【図４ｂ】トラックのための木材バンクの可動締結具の側面図である。
【図４ｃ】トラックのための木材バンクの可動締結具の平面図である。
【図５ａ】トラックのための木材バンクの固定締結具の分解図である。
【図５ｂ】トラックのための木材バンクの固定締結具の側面図である。
【図５ｃ】トラックのための木材バンクの固定締結具の平面図である。
【図６】側方から見たときの水平のビームのスケールである。
【図７】上方から見たときの歯部である。
【発明を実施するための形態】
【００１１】
本発明は、好ましい実施形態に関連して、添付の図面を参照して、より詳細に記載される。
【００１２】
図１ａ〜図１ｃ及び図２は、水平のビーム１と２つの垂直なポスト２を備える木材バンクを示している。木材バンクは、締結具１４によってベースに固定されている。図１ａの詳細Ａは、図６に１：３のスケールで示されている。
【００１３】
図３ａ〜図３ｃは、木材バンクのトレーラー締結具を示している。トレーラー締結具は、締付片３、嵌合片４、天板５、スライドプラスチック６、ライジングプレート７、横のガード８、及び底板９を備えている。底板９は、ゴムパッド１０及びスライドストリップ１１を備えている。トレーラーのキャリッジに締結されるとき、木材バンクは、キャリッジの締結具で取り付けられる。この場合の木材バンクの締結は、水平のビーム１のフランジ、締付片３及び嵌合片４によって行われる。水平のビーム１のフランジは、水平のビーム１の中央部でストレートであり、嵌合片４は、水平のビーム１のフランジに対してストレートサイドで取り付けられる。
【００１４】
図４ａ〜図４ｃは、トラックのための木材バンクの可動締結具を示している。トラックの可動締結具は、締付片３、嵌合片４、天板５、横のガード８、及び底板９を備えている。底板９は、ゴムパッド１０及びスライドストリップ１１を備えている。
【００１５】
図５ａ〜図５ｃは、トラックのための木材バンクの固定締結具を示している。トラックの固定締結具は、締付片３、嵌合片４、天板５、横のガード８、及び底板９を備えている。トラックの固定締結具では、ゴムパッド１０及びスライドストリップ１１は、スチール片１２,１３に置き換えられる。
【００１６】
図６は、側方から見たときの木材バンクの水平のビーム１の測定スケール１５を示しており、図７は、上方から見たときの歯部を示している。水平のビーム１は、歯部１６を備え、嵌合片４は、水平のビーム上の歯部と適合する歯部１７を備え、これにより締結具１４の位置が決定される。
【００１７】
当業者であれば、技術の進歩として、本発明の基本的な考え方を多くの異なる方法で実施できることは明らかである。したがって、本発明およびその実施形態は、上記の実施例に限定されず、特許請求の範囲内で変更することができる。
【図１ａ】
2019520268.tif 000003
【図１ｂ】
2019520268.tif 000004
【図１ｃ】
2019520268.tif 000005
【図２】
2019520268.tif 000006
【図３ａ】
2019520268.tif 000007
【図３ｂ】
2019520268.tif 000008
【図３ｃ】
2019520268.tif 000009
【図４ａ】
2019520268.tif 000010
【図４ｂ】
2019520268.tif 000011
【図４ｃ】
2019520268.tif 000012
【図５ａ】
2019520268.tif 000013
【図５ｂ】
2019520268.tif 000014
【図５ｃ】
2019520268.tif 000015
【図６】
2019520268.tif 000016
【図７】
2019520268.tif 000017
【国際調査報告】
2019520268.tif 000018
2019520268.tif 000019
2019520268.tif 000020